(57)【特許請求の範囲】
【請求項１】
頭部及び前記頭部から延びる把持部を有する口腔衛生具が上下１段で収納され、前記口腔衛生具の背面側に開口面を有する容器本体と、
前記容器本体の開口面を開閉可能に閉じる蓋体と、
を備え、
前記容器本体は、前記頭部を収納する第１の収納部と、前記把持部を収納するとともに、少なくとも一部の底壁が前記第１の収納部の底壁よりも前記開口面寄りに位置し前記把持部の前面に近接する第２の収納部と、を有しており、
前記蓋体は、前記口腔衛生具の背面の少なくとも一部に近接するよう前記容器本体側に突出する凸部が形成されている、口腔衛生具用の収納容器。
【請求項２】
頭部及び前記頭部から延びる把持部を有する口腔衛生具が収納され、前記口腔衛生具の背面側に開口面を有する容器本体と、
前記容器本体の開口面を開閉可能に閉じる蓋体と、
を備え、
前記容器本体は、前記頭部を収納する第１の収納部と、前記把持部を収納するとともに、少なくとも一部の底壁が前記第１の収納部の底壁よりも前記開口面寄りに位置し前記把持部の前面に近接する第２の収納部と、を有しており、
前記蓋体は、前記口腔衛生具の背面の少なくとも一部に近接するよう前記容器本体側に突出する凸部が形成され、
前記第２の収納部は、側壁の少なくとも一部が前記把持部の側面に近接するよう内側に突出している、口腔衛生具用の収納容器。
【請求項３】
前記第２の収納部は、側壁の少なくとも一部が前記把持部の側面に近接するよう内側に突出している、請求項1に記載の収納容器。
【請求項４】
前記第２の収納部は、前記口腔衛生具の頭部を上側にして当該収納容器を自立させるための脚部を有する、請求項１〜３のいずれかに記載の収納容器。
【請求項５】
前記容器本体は、前記開口面が形成された基台部をさらに有し、
当該基台部が、肩部を介して前記第１及び第２の収納部と接続されている、請求項１〜４のいずれかに記載の収納容器。
【請求項６】
前記蓋体は、凸状周縁部が、前記肩部に沿うとともに前記肩部と前記第１の収納部との境界を越えて延びるように形成されている、請求項５に記載の収納容器。
【発明の詳細な説明】
【技術分野】
【０００１】
本発明は、口腔衛生具用の収納容器に関するものである。
【背景技術】
【０００２】
通常、フロスピックや歯ブラシといった口腔衛生具は、収納容器に収納された状態で運搬され、また、店舗において陳列及び販売されている。この口腔衛生具用の収納容器としては、いわゆるブリスター容器が広く用いられており、このブリスター容器は、一般的に、口腔衛生具を収納した容器本体、及び容器本体を保持する台紙を備えており、内部の口腔衛生具を視認することができるよう、容器本体が透明の合成樹脂で形成されている（例えば特許文献１参照）。
【先行技術文献】
【特許文献】
【０００３】
【特許文献１】特開２００１−２１３４７５号公報
【発明の概要】
【発明が解決しようとする課題】
【０００４】
しかしながら、上述したような収納容器は、特に口腔衛生具に沿う方向の押圧力に対する強度が十分でなく、運搬又は携帯された際に変形してしまうことがあるという問題があった。つまり、上記のような口腔衛生具は、例えば、図９に示すように、頭部ｈが把持部ｇから突出した形状をしており、それを収納するブリスター容器は、当該形状に沿うように凹凸が形成されることが多い。そのため、凹部と凸部との境界に力がかかりやすく、当該境界において容器が変形しやすいという問題があった。
【０００５】
そこで、本発明は、変形が生じにくい口腔衛生具用の収納容器を提供することを課題とする。
【課題を解決するための手段】
【０００６】
本発明に係る口腔衛生具用の収納容器は、上記課題を解決するためになされたものであり、頭部及び前記頭部から延びる把持部を有する口腔衛生具が収納され、前記口腔衛生具の背面側に開口面を有する容器本体と、前記容器本体の開口面を開閉可能に閉じる蓋体と、を備え、前記容器本体は、前記頭部を収納する第１の収納部と、前記把持部を収納するとともに、少なくとも一部の底壁が前記第１の収納部の底壁よりも前記開口面寄りに位置し前記把持部の前面に近接する第２の収納部、を有しており、前記蓋体は、前記口腔衛生具の背面の少なくとも一部に近接するよう前記容器本体側に突出する凸部が形成されている。
【０００７】
上記収納容器は、第２の収納部の底壁及び蓋体の凸部が口腔衛生具の前面及び背面にそれぞれ近接するよう設けられているため、口腔衛生具に沿う方向の押圧力がこの収納容器に作用し容器本体及び蓋体が撓んだ場合、第２の収納部の底壁及び蓋体の凸部が口腔衛生具に当接する。これにより、口腔衛生具によって容器本体及び蓋体が支持されるため、容器本体及び蓋体が変形するのを抑制することができる。また、上記収納容器は、第２の収納部の少なくとも一部の底壁が第１の収納部の底壁よりも開口面寄りに位置することによって容器本体の底面に凹凸が形成されているが、この容器本体の凹部と凸部との境界に力が掛かった場合も、内部の口腔衛生具が容器本体及び蓋体を支持するため、容器本体及び蓋体が変形するのを抑制することができる。
【０００８】
また、上記収納容器において、第２の収納部は、側壁の少なくとも一部が内側に突出していてもよい。この構成によれば、当該突出部を口腔衛生具の把持部の側面に近接させることで、第２の収納部の側壁によって容器本体内で口腔衛生具が移動するのを規制することができ、容器本体内で口腔衛生具がばらつくのを抑制できる。これにより、口腔衛生具の剛性を利用して第２の収納部を補強でき、容器本体及び蓋体が変形するのを抑制することができる。
【０００９】
また、上記収納容器において、第２の収納部は、収納容器を自立させるための脚部を有することができる。これにより、店頭等において、台紙等を用いて吊り下げなくても、口腔衛生具の頭部を上側にし、収納容器を自立させて陳列することができる。
【００１０】
また、上記収納容器において、容器本体は、開口面が形成された基台部をさらに有し、当該基台部は、肩部を介して第１及び第２の収納部と接続されていてもよい。この構成によれば、口腔衛生具に沿う方向の押圧力が収納容器に作用した場合であっても、肩部によって第１及び第２の収納部が外側に膨らむのを防ぐことができるため、第１及び第２の収納部、特に第１及び第２の収納部の境界付近が変形するのを抑制することができる。
【００１１】
各収納部が肩部を介して基台部と接続されている場合、蓋体は、凸状周縁部が肩部に沿うとともに、肩部と第１の収納部との境界を越えて延びるように形成されていることが好ましい。この構成によれば、蓋体の凸状周縁部により、肩部と第１の収納部との境界、さらに第１の収納部と第２の収納部との境界が支持されることとなるため、これらの境界で収納容器が変形するのを抑制することができる。
【発明の効果】
【００１２】
本発明によれば、口腔衛生具用の収納容器の変形を抑制することができる。
【図面の簡単な説明】
【００１３】
【図１】本発明の一実施形態に係る収納容器の斜視図である。
【図２】本発明の一実施形態に係る収納容器における容器本体の正面図である。
【図３】本発明の一実施形態に係る収納容器における容器本体の平面図である。
【図４】本発明の一実施形態に係る収納容器における容器本体の右側面図である。
【図５】本発明の一実施形態に係る収納容器における蓋体の平面図である。
【図６】本発明の一実施形態に係る収納容器における蓋体の右側面図である。
【図７】本発明の一実施形態に係る収納容器の右側面図である。
【図８】本発明の一実施形態に係る収納容器における収容袋の平面図である。
【図９】本発明の一実施形態に係る口腔衛生具の平面図である。
【発明を実施するための形態】
【００１４】
以下、本発明に係る口腔衛生具用の収納容器の実施形態について図面を参照しつつ説明する。
【００１５】
本実施形態に係る収納容器１０は、図１に示すように、複数のフロスピックＰ（口腔衛生具）が収納された容器本体１と、容器本体１の開口面を開閉可能に閉じる蓋体２と、を備えている。なお、本実施形態においては、説明の便宜上、図９に示すように、フロスピックPにおいて、頭部ｈが突出している側（図９では左側）を「前面」、その反対側を「背面」と称し、また、収納容器１０において、フロスピックＰの軸方向に沿う方向を「縦幅方向」、縦幅方向に直交する方向を「横幅方向」と称することとする。
【００１６】
容器本体１は、図２に示すように、フロスピックＰの頭部ｈを収納する第１の収納部１２と、フロスピックＰの把持部ｇを収納する第２の収納部１３と、開口面１４１が形成された基台部１４と、を備えている。第１の収納部１２は、頭部ｈに沿うような形状に形成され、図２に示すように、底壁１２１と、前壁１２２及び、この前壁１２２に対向し第２の収納部１３に向けて傾斜する後壁１２３と、対向する一対の側壁１２４と、を備えている。
【００１７】
第２の収納部１３は、図２及び図３に示すように、第１の収納部１２に隣接する隣接部１３１と、脚部１３２と、により構成されている。隣接部１３１は、第１の収納部１２の後壁１２３と連続して設けられる底壁１３１１と、対向する一対の側壁１３１２と、を備えている。隣接部１３１の底壁１３１１は、第１の収納部１２の底壁１２１よりも開口面１４１寄り（図２では上方）に位置しており、把持部ｇの前面に近接している。隣接部１３１の側壁１３１２は、第１の収納部１２の側壁１２４よりも内側に突出しており、複数収納されたフロスピックＰがばらつかないよう、両端のフロスピックＰの把持部ｇの側面に近接している。この隣接部１３１において、底壁１３１１と把持部ｇの前面との間隔は、通常０〜３ｍｍ、好ましくは０〜１ｍｍとすることができ、また、側壁１３１２と把持部ｇの側面との間隔は、通常０〜７ｍｍ、好ましくは０〜３ｍｍとすることができる。
【００１８】
脚部１３２は、収納容器１０を自立させるためのものであり、図２に示すように、隣接部１３１の底壁１３１１と連続して設けられる前壁１３２１と、この前壁１３２１と対向する後壁１３２２と、底壁１３２３と、対向する一対の側壁１３２４と、を備えている。脚部１３２の前壁１３２１は、第１の収納部１２の後壁１２３とは反対側に向けて傾斜する傾斜面となっており、側壁１３２４は、隣接部１３１の側壁１３１２よりも外側に突出し、第１の収納部１２の側壁１２４とほぼ同じ面上に位置している。また、底壁１３２３は、隣接部１３１の底壁１３１１よりも図２において下方に位置している。この脚部１３２及び基台部１４を合わせた高さＨ１は、フロスピックＰの形状や重量、及び収納容器１０の縦幅方向の長さによって異なり、容器を自立させることができるのであれば特に限定されないが、収納容器１０の自立時に収納容器１０が倒れないよう、第１の収納部１２及び基台部１４を合わせた高さＨ２の３０％以上に設定されることが好ましい。また、脚部１３２は、後壁１３２２に補助支持部１３２５が突設されている。この補助支持部１３２５は、収納容器１０をほぼ垂直に自立させることができるよう、先端部１３２６の縦幅方向の位置が、後述する基台部１４の第１のフランジ１４２の先端部とほぼ同じであることが好ましく、具体的には、縦幅方向において、先端部１３２６は、第１のフランジ１４２の先端部の内側７ｍｍ〜外側５ｍｍに位置していることが好ましい。なお、フロスピックＰの両端側における第１及び第２の収納部１２，１３の角部１６は、接触により潰れて容器本体１が変形することを防止できる点から、面取りされていることが好ましい。
【００１９】
図４に示すように、基台部１４は肩部１５を介して第１及び第２の収納部１２，１３と接続されている。この基台部１４の周縁から第１の収納部１２までの距離Ｄ１は、長すぎると、フロスピックPに沿う方向（縦幅方向）の押圧力が収納容器１０に作用した場合に、第１及び第２の収納部１２，１３が外側に膨らむのを肩部１５によって防ぐ効果が弱まってしまうため、０．１〜２０ｍｍとすることが好ましく、０．１〜３ｍｍとすることがより好ましい。また、基台部１４の周縁から第２の収納部１３の隣接部１３１までの距離Ｄ２も距離Ｄ１と同様に大きすぎないことが好ましく、０．１〜２５ｍｍとされることが好ましく、０．１〜１０ｍｍとすることがより好ましい。また、基台部１４は、図２及び図３に示すように、蓋体２により閉じられる開口面１４１が形成されており、この開口面１４１の周縁部には第１のフランジ１４２が設けられている。また、基台部１４は、その内側面の角部に、後述する蓋体２の被嵌合凹部２２１に嵌合する嵌合凸部１４３が形成されている。
【００２０】
蓋体２は、容器本体１の開口面１４１を開閉可能に閉じるものであり、図５〜図７に示すように、平面部２１と、平面部２１の周縁のほぼ全周に亘って平面部２１の板面から容器本体１側に突出するよう設けられた凸状周縁部２２と、第２のフランジ２３と、を備えている。蓋体２は、この凸状周縁部２２が容器本体１の開口面１４１に嵌合することで、容器本体１に着脱自在に取り付けられる。すなわち、凸状周縁部２２の角部には被嵌合凹部２２１が形成されており、蓋体２が容器本体１に取り付けられた際、この被嵌合凹部２２１に容器本体１の嵌合凸部１４３が嵌合することで、蓋体２が容器本体１から容易に外れないようになっている。
【００２１】
凸状周縁部２２は、蓋体２が容器本体１に取り付けられたとき、図７に示すように、その下面が容器本体１の肩部１５に近接するとともに、容器本体１の側壁においては、肩部１５に沿って縦幅方向に延びている。また、凸状周縁部２２は、肩部１５と第１の収納部１２及び脚部１３２との境界１７を横幅方向に越えて延びる、つまり、第１の収納部１２の側壁１２４及び後壁１２３の境界と肩部１５との交点Sを横幅方向に越えて延びるように、その幅D３が設定されている（図５）。凸状周縁部２２の周囲には、第２のフランジ２３が設けられており、この第２のフランジ２３には蓋体２を開ける際に把持されるつまみ部２３１が形成されている。
【００２２】
蓋体２は、図５に示すように、第１の部分２４及び第２の部分２５に分けられており、凸状周縁部２２も、第１の部分２４に設けられている部分と、第２の部分２５に設けられている部分と、に分割されている。第１の部分２４と第２の部分２５との間に、蓋体２の縦幅方向に沿って延びるとともに両端が凹状となったヒンジ部２６を形成させることで、蓋体２は、このヒンジ部２６の中央線を軸にして第１の部分２４だけが容器本体１に対して開閉する。また、ヒンジ部２６の中央線には、破線状の切り込みが形成されているため、第１の部分２４の開閉が容易となっている。なお、第２の部分２５は、容器本体１に接着等により固定されているのが好ましい。これにより、第２の部分２５が容器本体１から外れないようになるため、凸状周縁部２２が境界１７等を確実に支持し、容器本体１が折れ曲がるのをより一層抑制することができる。
【００２３】
第１及び第２の部分２４，２５は、図５及び図７に示すように、蓋体２の横幅方向に沿って延びるとともに容器本体１側に突出する第１及び第２の凸部２４１，２５１が設けられている。この第１及び第２の凸部２４１，２５１は、凸状周縁部２２と一体的に形成されており、フロスピックＰの両端側の背面に近接している。この第１及び第２の凸部２４１，２５１とフロスピックＰの背面との間隔は、通常０〜３ｍｍ、好ましくは０〜１ｍｍとすることができる。これにより、容器本体１内でフロスピックＰが移動するのを規制し、容器本体１内でばらつくのを抑制できることから、収納部全体をフロスピックPの剛性を利用して補強でき、容器本体１及び蓋体２の変形を防ぐことができる。また、第１及び第２の凸部２４１，２５１と肩部１５との間隔は、通常０〜７ｍｍ、好ましくは０〜３ｍｍとすることができる。
【００２４】
また、第１及び第２の部分２４，２５は、図５に示すように、それぞれ、凸状周縁部２２の内側において、容器本体１側に突出し概ね蓋体２の縦幅方向に沿って延びる第３及び第４の凸部２４２，２５２が形成されている。この第３の凸部２４２と第４の凸部２５２との間には、フロスピックＰを収容するための収容袋Ｂがヒンジ部２６を跨るように配置され（図８）、第３及び第４の凸部２４２，２５２によって、収納容器１０内における収納袋Bの動きを規制することができる。この収容袋Ｂにより、例えば、収納容器１０を自立させたり、収納部を上面にして置いたりしたときに、容器本体１内においてヒンジ部２６に対応する位置にあるフロスピックＰが、ヒンジ部２６の凹状の溝内に落下するのを防止することができる。なお、第３及び第４の凸部２４２，２５２も、第１及び第２の凸部２４１，２５１と同様、フロスピックＰの背面に近接していることが好ましい。また、第３及び第４の凸部２４２，２５２は、概ね蓋体２の縦幅方向に沿って延びるように形成されることから、蓋体２の縦幅方向の押圧力に対する強度を高め、容器本体１及び蓋体２を嵌合したときの収納容器１０が変形するのを抑制することができる。
【００２５】
容器本体１及び蓋体２は、収納容器１０内のフロスピックＰを外部から視認することができるよう、透明または半透明であることが好ましい。容器本体１及び蓋体２の材料としては、特に限定されるものではないが、例えば、ポリエチレンテレフタラート、ポリ塩化ビニル、ポリスチレン、ポリプロピレン、ポリエチレン等を挙げることができる。
【００２６】
上記構成の収納容器１０を使用する場合、まず、容器本体１を手で保持した状態でつまみ部２３１を上方へと引き、容器本体１の開口面１４１と蓋体２の第１の部分２４との嵌合を解除する。さらにつまみ部２３１を引いて第１の部分２４を開き、容器本体１内からフロスピックＰを必要な数だけ取り出した後、第１の部分２４を容器本体１側に押し付けて、第１の部分２４を開口面１４１に再び嵌合させる。
【００２７】
以上のように、本実施形態に係る収納容器１０は、容器本体１における第２の収納部１３の底壁１３１１がフロスピックＰの把持部ｇの前面に近接するとともに、蓋体２の第１及び第２の凸部２４１，２５１がフロスピックＰの背面に近接している。また、第２の収納部１３の隣接部１３１の側壁１３１２は、第１の収納部１２の側壁１２４よりも内側に突出しており、両端のフロスピックＰの把持部ｇの側面に近接している。このため、収納容器１０に縦幅方向の押圧力が作用し収納容器１０が撓んだ場合でも、容器本体１及び蓋体２がフロスピックＰに当接して支持されるとともに、フロスピックＰを複数収納した場合に、収納容器１０内においてフロスピックＰがばらつくのを抑制できるため、フロスピックＰの剛性を利用して収納部を補強でき、容器本体１及び蓋体２が変形するのを抑制することができる。ここで、底壁１３１１とフロスピックＰの把持部ｇの前面との距離、ならびに蓋体２の第１及び第２の凸部２４１，２５１とフロスピックＰの背面との距離が小さいほど、収納容器１０とフロスピックＰとの一体性が生まれ、より直接的にフロスピックの剛性を利用できるため、容器本体１及び蓋体２の変形を効果的に抑制することができる。
【００２８】
また、力がかかりやすい、第１の収納部１２と第２の収納部１３との境界、及び第２の収納部１３の隣接部１３１と脚部１３２との境界の両方を、フロスピックＰの把持部gの前面上に近接させることで、より優れた変形防止効果が得られる。
【００２９】
また、本実施形態に係る収納容器１０においては、肩部１５を介して基台部１４と第１及び第２の収納部１２，１３が接続されているため、口腔衛生具に沿う方向（縦幅方向）の押圧力が収納容器に作用した場合であっても、肩部１５によって第１及び第２の収納部が外側に膨らむのを防ぐことができ、第１及び第２の収納部、特に第１及び第２の収納部の境界付近が変形するのを抑制することができる。
【００３０】
本実施形態に係る収納容器１０においては、蓋体２の凸状周縁部２２が肩部１５と第１の収納部１２及び脚部１３２との境界１７を横幅方向に越えて延びるような形状とされており、第１の収納部１２の側壁１２４，後壁１２３，及び基台部１４の交点S、並びに脚部１３２の側壁１３２４，前壁１３２１，及び基台部１４の交点Sを凸状周縁部２２で支持することができるため、第１の収納部１２と第２の収納部１３との境界、及び第２の収納部１３の隣接部１３１と脚部１３２との境界で収納容器１０が折れ曲がるのを抑制することができる。
【００３１】
また、縦幅方向に延び両端部が凹状のヒンジ部２６を設けることで、縦幅方向に延びる側壁２６１，２６２が形成されるため、当該部位において、蓋体２が縦幅方向に折れ曲がりにくくなる。このため、容器本体１及び蓋体２を嵌合したときの収納容器１０の変形防止効果をさらに高めることができる。
【００３２】
また、第３及び第４の凸部２４２，２５２が概ね蓋体２の縦幅方向に沿って延びていることで、第３及び第４の凸部２４２，２５２の側壁２４２１，２５２１が形成されるため、当該部位において、蓋体２が折れ曲がりにくくなる。（図１及び図５）。このため、容器本体１及び蓋体２を嵌合したときに、収納容器１０のより優れた変形防止効果を得ることができる。
【００３３】
以上、本発明の実施形態について説明したが、本発明はこれらに限定されるものではなく、本発明の趣旨を逸脱しない限りにおいて種々の変更が可能である。例えば、上記実施形態において、容器本体１は、第１及び第２の収納部１２，１３が形成される基台部１４が設けられていたが特にこれに限定されず、容器本体１が基台部１４を有していなくてもよい。
【００３４】
上記実施形態においては、第２の収納部１３は、隣接部１３１の側壁１３１２がフロスピックＰの側面に近接するように内側に突出していたが、隣接部１３１に加えて脚部１３２の側壁１３２４を内側に突出させてもよいし、隣接部１３１の側壁１３１２を内側に突出させなくてもよい。
【００３５】
上記実施形態においては、第１の収納部１２の後壁１２３及び脚部１３２の前壁１３２１は、底壁１３１１との境界を越えて開口面１４１に向けて傾斜しながら延びている。この構成によれば、隣接部１３１と、第１の収納部１２および脚部１３２との境界に掛かる力を分散させることができるため好ましいが、当該後壁１２３及び前壁１３２１は、底壁１３１１との境界を越えさせなくても、傾斜させなくてもよい。
【００３６】
また、第１の収納部１２と第２の収納部１３との境界、及び第２の収納部１３の隣接部１３１と脚部１３２との境界の両方の境界が、フロスピックＰの把持部ｇの前面上に位置していなくてもよく、どちらか一方の境界が把持部ｇの前面上に位置しているだけでもよい。
【００３７】
上記実施形態においては、収納容器１０を自立させられるよう第２の収納部１３が脚部１３２を有していたが、この第２の収納部１３が脚部１３２を有していなくてもよく、また、隣接部１３１が第２の収納部１３の後端（図２における右側）まで延びていてもよい。また、隣接部１３１の底壁１３１１の少なくとも一部がフロスピッックＰの把持部ｇの前面に近接していればよく、その他の第２の収納部の形状は特に限定されない。
【００３８】
上記実施形態においては、第１の収納部１２と第２の収納部１３との境界、第２の収納部１３の隣接部１３１と脚部１３２との境界、及び肩部１５と第１の収納部１２及び脚部１３２との境界は角をなしているが、当該境界は曲面で形成されていてもよい。
【００３９】
上記実施形態においては、第１及び第２の凸部２４１，２５１は、蓋体２の凸状周縁部２２と一体的に形成されていたが、凸状周縁部２２とは別体として形成することもできる。また、第１及び第２の凸部２４１，２５１は、フロスピックＰの頭部側及び把持部側に設けられていたが、フロスピックＰの背面の少なくとも一部に蓋体の凸部を近接させることができれば凸部の位置は特に限定されない。さらに、蓋体２の平面部２１はなくてもよく、蓋体２全体にわたって凸状に形成されていてもよい。
【００４０】
上記実施形態においては、凸状周縁部２２は、肩部１５と第１の収納部１２及び脚部１３２との境界１７の縦幅方向全体に渡って延びているが、当該凸状周縁部２２はなくてもよく、第１の収納部１２の側壁１２４及び後壁１２３の境界と肩部１５との交点Sを支持するように延びている程度でもよい。
【００４１】
上記実施形態においては、ヒンジ部２６の中央線を軸にして第１の部分２４が開くように構成されていたが、蓋体２が開閉可能であれば特にヒンジ部２６を設ける必要はない。
【００４２】
上記実施形態においては、蓋体２は第３及び第４の凸部２４２，２５２を有していたが、蓋体２は当該構造を有していなくてもよい。
【００４３】
上記実施形態においては、フロスピックＰが、ヒンジ部２６の凹状の溝内に落下するのを防止するための物品として収納袋Bを例示したが、素材は、紙や薄いフィルムなど、フロスピックＰの背面と蓋体２との間に収納できるものであり、かつ当該効果を奏するものであれば特に限定されない。また、フロスピックＰが、ヒンジ部２６の凹状の溝内に落下するのを防止するための物品はなくてもよい。
【００４４】
上記実施形態においては、収納容器１０内にフロスピックＰが収納されていたが、本発明に係る収納容器内には、例えば、歯ブラシや歯間ブラシ等、種々の口腔衛生具を収納することができる。
【符号の説明】
【００４５】
１０          収納容器
１            容器本体
１２          第１の収納部
１２１        底壁
１３          第２の収納部
１３１１      側壁
１３１２      底壁
１４          基台部
１５          肩部
１７          境界
２            蓋体
２２          凸状周縁部
２４１，２５１  凸部
Ｐ            フロスピック（口腔衛生具）
【図１】
0005936338.tif 000002
【図２】
0005936338.tif 000003
【図３】
0005936338.tif 000004
【図４】
0005936338.tif 000005
【図５】
0005936338.tif 000006
【図６】
0005936338.tif 000007
【図７】
0005936338.tif 000008
【図８】
0005936338.tif 000009
【図９】
0005936338.tif 000010